(57)【要約】      （修正有）【課題】操作が便利であると同時に、使用寿命が長い分岐水栓装置を提供する【解決手段】一つの給水口１０１、二つの排水口１０３、１０４、二つの排水口１０３、１０４と対応的に設けられている上密封座１０２と下密封座、及び前記密封座１０２と協働で二つの排水口１０３、１０４を切り換える分水スイッチを備えた分岐水栓装置。分水スイッチはスライドシャフト２、固定座３、止めホック６、バルブコア２０とスプリング４を備え、固定座３にはスライド通孔３１を有し、スライドシャフト２はスライド通孔３１においてスライドすることができ、スライドシャフト２の表面には止めホック６のホック部６０とフェッティングする第一ストップポジションと第二ストップポジション、及び第一片方向スライド溝と第二片方向スライド溝が設けらる。【選択図】図１
0003162157.tif 000002
【実用新案登録請求の範囲】
【請求項１】
給・排水管路を備え、前記給・排水管路において一つの推進口と二つの排水口が設けられている分岐水栓装置であって、前記分岐水栓装置において、二つの排水口に対応してそれぞれ上密封座（１０２）と下密封座（１０５）が設けられ、前記分岐水栓装置には前記上密封座と協働して二つの排水口を切り換える分水スイッチが設けられ、前記スイッチはスライドシャフト、固定座を備え、前記固定座にはスライドシャフトのスライド通孔を有し、前記スイッチにはさらにスライドシャフトの止めホックが設けられ、前記スライドシャフトの表面には止めホックのホック部とフェッティングする第一ストップポジションと第二ストップポジションが設けられ、前記第一ストップポジションと第二ストップポジションはそれぞれスライドシャフト表面の異なる高さに位置し、第一ストップポジションはスライドシャフトのヘッド部に近接し、前記スライドシャフトの表面にはスライドシャフトを第一ストップポジションから止めホックのホック部とフェッティングして第二ストップポジションと止めホックのホック部がフェッティングする止めホックのホック部まで移動させる第一片方向スライド溝を有し、前記スライドシャフトの表面にはさらにスライドシャフトを第二ストップポジションから止めホックのホック部とフェッティングして第一ストップポジションと止めホックのホック部がフェッティングするまで移動させる第二片方向スライド溝を有し、前記第一片方向スライド溝は第一ストップポジションから始まる第一スライドセグメント及び第一スライドセメントと連結して第二ストップポジションに繋がる第二スライドセグメントを含み、その接合部は第二ストップポジションよりさらにスライドシャフトのヘッド部から離れ、前記第二片方向スライドセグメントは第二ストップポジションから始まる第三スライドセグメント及び第三スライドセグメントと連結する第四スライドセグメントを含み、その接合部は第二ストップポジションよりさらにスライドシャフトのヘッド部から離れ、第四スライドセグメントは第一スライドセグメントと連結又は第一ストップポジションまで連結され、前記スイッチはスライドシャフトをスライドヘッド部からテール部に突上げるスプリングが設けられ、前記スライドシャフトのヘッド部にはバルブコアが連結され、前記二つの密封座の位置はバルブコアのストロークに対応している、ことを特徴とする分岐水栓装置。
【請求項２】
第一スライドセグメントと第二スライドセグメントは階段状に連結され、接合部において、第二スライドセグメントの溝底面は第一スライドセグメントの溝底面より低く、第三スライドセメントと第四スライドセグメントは階段状に連結され、接合部において、第四スライドセグメントの溝底面は第三スライドセグメントの溝底面より低く、第二スライドセグメントは第二ストップポジションに近接するところに下向きの階段を有し、第四スライドセグメントと第一スライドセグメントは階段状に連結され、接合部において、第一スライドセグメントの溝底面は第四スライドセグメントの溝底面より低い、ことを特徴とする請求項１に記載の分岐水栓装置。
【請求項３】
スライドシャフトの周方向位置決め機構が設けられている、ことを特徴とする請求項１に記載の分岐水栓装置。
【請求項４】
前記スライドシャフトには軸方向に沿って位置決めスライド溝が設けられ、前記固定座には位置決め溝とフェッティングする位置決めブロックが設けられている、ことを特徴とする請求項１に記載の分岐水栓装置。
【請求項５】
前記止めホックは固定座にホックされ、前記固定座の外部には止めホックを固定するコイルスプリングが設けられている、ことを特徴する請求項１に記載の分岐水栓装置。
【請求項６】
前記止めホックは固定座の位置決めブロックにホックされ、前記固定座の外部には止めホックを固定するコイルスプリングが設けられている、ことを特徴する請求項４に記載の分岐水栓装置。
【請求項７】
前記固定座は取付体とその後方でそれに連結している連結スリーブ体を備え、前記スライドシャフトはテール部に近接又は中部からテール部の間で軸径が比較的に小さく、且つ前記スリーブ体を貫通し、前記スリーブ体は軸径が比較的に小さいスライドシャフトのセクションに適する小孔を有する、ことを特徴とする請求項１に記載の分岐水栓装置。
【請求項８】
前記止めホックは取付体にホックされ、前記取付体の外部には止めホックを固定するコイルスプリングが設けられている、ことを特徴とする請求項７に記載の分岐水栓装置。
【請求項９】
前記スライドシャフトのテール部には押しボタンが連結され、前記スプリングは固定座と押しボタンの間に位置する、ことを特徴とする請求項１に記載の分岐水栓装置。
【請求項１０】
密封座（１０５）の外側にはスプリングサポートが設けられ、前記スプリングはスプリングサポートとバルブコアの間に位置している、ことを特徴とする請求項１に記載の分岐水栓装置。
【考案の詳細な説明】
【技術分野】
【０００１】
本考案は分岐水栓装置に関する。
【背景技術】
【０００２】
現在、例えば栓又は分水器に応用されている分岐水栓装置は、何れも伝統的な押し、引き方式により排水方向を変える。その最大の欠点は、操作が不便で、密封効果が悪く、使用寿命が短く、且つ水圧の制限を受け、排水が一定の圧力に達しないと、分水器はその自身の重量により下に移動するため、下方排水が実現不能となる。
【考案の概要】
【０００３】
本考案が解決しようとする技術問題は操作が便利であると同時に、使用寿命が長い分岐水栓装置を提供することにある。このため、本考案は下記の方案を採用している。給・排水管路を備え、前記給・排水管路において一つの給水口と二つの排水口が設けられ、前記分岐水栓装置において、二つの排水口に対応してそれぞれ上密封座と下密封座が設けられ、前記分岐水栓装置には前記上密封座と協働して二つの排水口を切り換える分水スイッチが設けられ、前記スイッチはスライドシャフト、固定座を備え、前記固定座にはスライドシャフトのスライド通孔を有し、前記スイッチにはさらにスライドシャフトの止めホックが設けられ、前記スライドシャフトの表面には止めホックのホック部とフェッティングする第一ストップポジションと第二ストップポジションが設けられ、前記第一ストップポジションと第二ストップポジションはそれぞれスライドシャフト表面の異なる高さに位置し、第一ストップポジションはスライドシャフトのヘッド部に近接し、前記スライドシャフトの表面にはスライドシャフトを第一ストップポジションから止めホックのホック部とフェッティングして第二ストップポジションと止めホックのホック部がフェッティングする止めホックのホック部まで移動させる第一片方向スライド溝を有し、前記スライドシャフトの表面にはさらにスライドシャフトを第二ストップポジションから止めホックのホック部とフェッティングして第一ストップポジションと止めホックのホック部がフェッティングするまで移動させる第二片方向スライド溝を有し、前記第一片方向スライド溝は第一ストップポジションから始まる第一スライドセグメント及び第一スライドセメントと連結して第二ストップポジションに繋がる第二スライドセグメントを含み、その接合部は第二ストップポジションよりさらにスライドシャフトのヘッド部から離れ、前記第二片方向スライドセグメントは第二ストップポジションから始まる第三スライドセグメント及び第三スライドセグメントと連結する第四スライドセグメントを含み、その接合部は第二ストップポジションよりさらにスライドシャフトのヘッド部から離れ、第四スライドセグメントは第一スライドセグメントと連結又は第一ストップポジションまで連結され、前記スイッチはスライドシャフトをスライドヘッド部からテール部に突上げるスプリングが設けられ、前記スライドシャフトのヘッド部にはバルブコアが連結され、前記二つの密封座の位置はバルブコアのストロークに対応している。本考案の技術方案、即ち本考案の固定座とスライドシャフトの動静配置及び密封座とバルブコアの協働を採用したため、単一の分水スイッチの押圧操作を通じて排水方向の切り換えを実現することができ、操作が便利で、人が力を使う習慣により適し、密封効果が良く、破損しにくく、使用寿命が長いと同時に、本考案の作業が確実で、分水機能の実現も水圧の影響を受けない。
【図面の簡単な説明】
【０００４】
【図１】本考案の実施方式を栓に応用し、且つ上方排水状態の時の断面図である。
【図２】図１に示されている実施方式を栓に応用し、且つ下方排水状態の時の断面図である。
【図３】本考案におけるスライドシャフトの概略図である。
【図４】図３に示されているスライドシャフトが片方向スライド溝と止めホック部位にある時の正面概略図である。
【図５】本考案のもう一つの実施方式を栓に応用し、且つ上方排水状態の時の断面図である。
【図６】図５に示されている実施方式が下方排水状態の時の断面図である。
【図７】本考案を分水器に応用し、且つ上方排水状態の時の断面図である。
【図８】本考案を分水器に応用し、且つ下方排水状態の時の断面図である。
【考案を実施するための形態】
【実施例１】
【０００５】
図１、２、３、４を参照されたい。本実施例は本考案を栓１００に応用する実施例である。本考案は給水管に設けられた給水口１０１と排出管に設けられた二つの排水口１０３及び１０４を備え、前記分岐水栓装置において二つの排水口と対応的に上密封座１０２と下密封座１０５が設けられ、前記分岐水栓装置には前記密封座と協働で二つの排水口の排水を切り換える分水スイッチが設けられ、前記分水スイッチは給水管に連結されている固定座３を有し、前記分水スイッチは更にスライドシャフト２を有し、固定座にはスライドシャフトのスライド通孔３１が設けられ、前記スライドシャフトのヘッド部２１はスライド通孔３１に挿入且つ伸び出し、本実施例において、スライドシャフトのテール部には押しボタン１が連結され、押しボタンはスライドシャフトテール部のねじ山に連結され、前記スイッチには押しボタンとスライドシャフトの連結体をスライドシャフトのヘッド部２１からテール部の方向に突上げるスプリング４が設けられ、前記スプリングは固定座と押しボタンの間に位置し、前記スライドシャフトのヘッド部にはバルブコア２０が連結され、前記二つの密封座の位置とバルブコアのストロークに対応している。
【０００６】
図に示されているように、排水口１０４は下密封座１０５の下方に位置し、添付図面における符号２３はバブルコアに設けられた密封ワッシャで、スプリング４はスライドシャフトがヘッド部からテール部まで力を受けるようにする如何なる位置に位置しても良い。
【０００７】
添付図面における符号１０６は、スライドシャフトにおいてスライドシャフトと固定座の間に取付られた密封リングで、符号１０７は固定座と栓１００の間の密封リングである。
【０００８】
前記分水スイッチにはスライドシャフトの止めホック６が設けられ、前記止めホックは固定座にホックされ、前記固定座の外部には止めホックを固定するコイルスプリング５が設けられている。止めホックはまた固定座に連結される一つの部品に連結されても良い。
【０００９】
前記スライドシャフトの表面には止めホックのホック部とフェッティングする第一ストップポジション７１と第二ストップポジション７２が設けられ、前記第一ストップポジションと第二ストップポジションはそれぞれスライドシャフト表面の異なる高さに位置し、第一ストップポジションはスライドシャフトのヘッド部２１に近接し、前記スライドシャフトの表面にはスライドシャフトを第一ストップポジションから止めホックのホック部６０とフェッティングして第二ストップポジションと止めホックのホック部がフェッティングする止めホックのホック部まで移動させる第一片方向スライド溝を有し、前記スライドシャフトの表面にはさらにスライドシャフトを第二ストップポジションから止めホックのホック部とフェッティングして第一ストップポジションと止めホックのホック部がフェッティングするまで移動させる第二片方向スライド溝を有し、前記第一片方向スライド溝は第一ストップポジションから始まる第一スライドセグメント８１及び第一スライドセグメントに連結されて第二ストップポジションに繋がる第二スライドセグメント８２を備え、その接合部は第二ストップポジションよりさらにスライドシャフトのヘッド部から離れ、前記第二片方向スライド溝は第二ストップポジションから始まる第三スライドセグメント８３及び第三スライドセグメントに連結されている第四スライドセグメント８４を備え、その接合部は第二ストップポジションよりさらにスライドシャフトのヘッド部から離れ、第四スライドセグメントは第一スライドセグメントと連結しているか、又は第一ストップポジションまで連結されている。
【００１０】
スライド溝と止めホックのホック部６０との相対的な片方向移動を実現するためには、スライド溝の溝壁の設計により実現してもよく、スライド溝の溝底の設計により実現しても良いが、本実施例においては溝底の設計を採用して実現していることから、スイッチの動作がより確実で、使用寿命もより長い。その方案は下記の通りである。第一スライドセグメントと第二スライドセグメントは階段状に連結され、接合部９１において第二スライドセグメントの溝底面が第一スライドセグメントの溝底面より低く、第三スライドセグメントと第四スライドセグメントは階段状に連結され、接合部９２において第四スライドセグメントの溝底面が第三スライドセグメントの溝底面より低く、第二スライドセグメントは第二ストップポジションに近接するところに下向きの階段９３があり、第四スライドセグメントと第一スライドセグメントは階段状に連結され、接合部９４において第一スライドセグメントの溝底面は第四スライドセグメントの溝底面より低い。
【００１１】
本考案は止めホックのホック部のある程度の揺れ動きを通じて回転しないスライドシャフト上のスライドウェイとフェッティングする。前記スライドシャフトには軸方向に沿って位置決めスライド溝２２が設けられ、前記固定座には位置決め溝とフェッティングする位置決めブロック３２が設けられ、ブロック３２の形状はまた止めホックとのフェッティングに利用されることができ、図に示されているように、前記止めホックは固定座の位置決め突起部位にホックされる。周方向位置決め機構について言うならば、固定座の他の位置に設置された位置決め溝であってもよく、例えば内孔、ブロックをスライドシャフトの対応する他の位置に設置しても良い。このほか、周方向位置決め機構は他の通常の軸とスリーブの間の周方向位置決め構造を採用してもよく、具体的応用の施設を通じて対応する位置決めを実現しても良い。
【００１２】
実施例において、スライドシャフトを一定の角度に回転させることにより、スライドウェイと止めホックのフェッティングを実現しても良いが、使用中本実施例より快適・便利ではない。
【００１３】
操作する時、押しボタン１に圧力を加え、押しボタン１によりスライドシャフトを下方に移動させ、この時止めホック６はコイルスプリング５の作用を受け、ホックの連結端部が固定座に位置決めされるようにするが、止めホックのホック部６０は第一ストップポジションから第一スライドセグメントに沿って上方にスライドし、押しボタンをずっと下向きに押すと、止めホックのホック部６０は接合部９１において第二スライドセグメントに入る。押しボタンを放す時、押しボタンはスプリング４の作用力によりスライドシャフト２を上方に移動させるが、第一スライドセグメントと第二スライドセグメントが階段状に連結されているため、接合部９１において第二スライドセグメントの溝底面が第一スライドセグメントの溝底面より低いことから止めホックのホック部６０は引き返すことができず、第二スライドセグメントに沿って第二ストップポジションの区域まで下って第二ストップポジションのベクトルポイント位置にホックされる。これがスイッチの一つの状態位置であり、スライドシャフトの下向きのストロークを実現している。この時、スプリング４は圧縮された状態にあり、バルブコア２０に連結されている上密封ワッシャ２３は下密封座１０５と接触し、下排水口１０４は密封状態にあり、本考案は上方排水状態で、水は排水口１０３から流れ出す。
【００１４】
再び押しボタンを下向きに押すと、第二スライドセグメントが第二ストップポジションに近接するところに下向きの階段を有しているため、止めホックのホック部６０は引き返すことができず、第三スライドセグメントに沿って上方に移動して第四スライドセグメントに入るしかない。押しボタンを放す時、押しボタンはスプリング４の作用力を受け、スライドシャフト２を上方に移動させるが、第三スライドセグメントと第四スライドセグメントは階段状に連結され、接合部９２において、第四スライドセグメントの溝底面が第三スライドセグメントの溝底面より低いため止めホックのホック部６０は引き返すことができず、第四スライドセグメントに沿って第一ストップポジションまで下降するか又は第四スライドセグメントに沿って下方に移動して第一スライドセグメントに入り、且つ最終的に第一ストップポジションまで戻り第一ストップポジションにホックされる。これがスイッチのもう一つの状態位置で、スライドシャフトの上向きストロークを実現する。この時、バルブコア２０に連結されている上密封ワッシャ２３は密封座１０２と接触し、上排水口１０３は密封状態にあり、本考案は下方排水状態で、水は排水口１０４から流れ出す。
【実施例２】
【００１５】
実施例１における固定座は幾つかの部分が連結して構成されても良い。図５を参照されたい。本実施例において、前記固定座は取付体３３とその後方でそれに連結している連結スリーブ体３４を備え、連結スリーブ体３４は給・排水管路に連結されている。前記スライドシャフトはテール部に近接又は中部からテール部の間で軸径が比較的に小さく、且つ前記スリーブ体を貫通し、前記スリーブ体は軸径が比較的に小さいスライドシャフトのセクションに適する小孔３５を有する。前記止めホックは取付体にホックされ、前記取付体の外部には止めホックを固定するスプリングが設けられている。
【００１６】
このように、実施例１おける密封リング１０６は軸径が比較的に小さいスライドシャフトのセクションに設置すると同時に連結スリーブ体の小孔と密封的に連結することで、スライドの抵抗力を減少させることができる。
【００１７】
本実施例において、密封座の外側にはスプリング４のサポート４１が設けられ、スプリング４はサポート４１とスライドシャフト２のヘッド部２１に連結されているバルブコア２０の間に位置し、内部空間を利用して構造の高さを下げることができる。
【００１８】
本実施例の他の部分は実施例１と同様で、図５と図６において、図１-４と同じ符号は同じ意味を表す。
【実施例３】
【００１９】
図７と図８を参照されたい。本実施例において、本考案は分水器に取付られ、採用されている分岐水栓装置の構造は実施例２と同様である。
【００２０】
図７と図８において、図５、図６と同じ符号は同じ意味を表す。
【図１】
0003162157.tif 000003
【図２】
0003162157.tif 000004
【図３】
0003162157.tif 000005
【図４】
0003162157.tif 000006
【図５】
0003162157.tif 000007
【図６】
0003162157.tif 000008
【図７】
0003162157.tif 000009
【図８】
0003162157.tif 000010